(57)【要約】【解決手段】本発明は、データ伝送方法、装置及びシステムを開示し、ＵＥが非接続状態になる場合、ローカルサービスのシャント伝送を完了することができるようにし、無線リソースの利用効率を向上させる。本発明の実施例に係るデータ伝送方法は、ＭＥＣサーバは、ローカルサービスサーバから送信されたデータメッセージを受信した後、前記データメッセージを受信するＵＥがＲＲＣ非接続状態であると確定すれば、前記ＵＥのページングプロセスをトリガーするように、前記ＵＥに対応するデータメッセージをＰ−ＧＷに送信するステップと、前記ＭＥＣサーバは、所定の時間において、前記データメッセージを前記ＵＥに伝送するのに用いるダウンリンクベアラ情報を照会し、前記ダウンリンクベアラ情報が「有」であれば、前記ダウンリンクベアラ情報に基づき、前記データメッセージを送信するステップとを備える。【選択図】図３
2019507993.tif 000002
【特許請求の範囲】
【請求項１】
モバイル・エッジ・コンピューティングＭＥＣサーバは、ローカルサービスサーバから送信されたデータメッセージを受信した後、前記データメッセージを受信するＵＥが無線リソース制御ＲＲＣ非接続状態になると確定する場合、前記ＵＥのページングプロセスをトリガーするように、前記ＵＥに対応するデータメッセージをパックデータゲートウェイＰ−ＧＷに送信するステップと、
前記ＭＥＣサーバは、所定の時間において、前記データメッセージを前記ＵＥに伝送するのに用いるダウンリンクベアラ情報を照会し、前記ダウンリンクベアラ情報が「有」であれば、前記ダウンリンクベアラ情報に基づき、前記データメッセージを送信するステップとを備えることを特徴とするデータ伝送方法。
【請求項２】
前記ＭＥＣサーバが、ローカルサービスサーバから送信されたデータメッセージを受信した後、前記データメッセージを受信するＵＥがＲＲＣ非接続状態であると確定するのは、
前記ＭＥＣサーバは、ローカルサービスサーバから送信されたデータメッセージを受信した後、前記データメッセージを前記ＵＥに伝送するのに用いるダウンリンクベアラ情報の有無を照会し、前記ダウンリンクベアラ情報が「無」であれば、前記ＭＥＣサーバは、前記ＵＥがＲＲＣ非接続状態になると確定することを特徴とする請求項１に記載のデータ伝送方法。
【請求項３】
前記ＭＥＣサーバが前記ＵＥに対応するデータメッセージをＰ−ＧＷに送信するのは、前記ＭＥＣサーバは前記ＵＥに対応するデータメッセージをファイアーウォール（ＦＷ）に送信し、前記ＦＷにより前記データメッセージをＰ−ＧＷに転送することを特徴とする請求項１に記載のデータ伝送方法。
【請求項４】
前記ＭＥＣサーバが所定の時間内で前記データメッセージを前記ＵＥに伝送するのに用いるダウンリンクベアラ情報の有無を照会するのは、
前記ＭＥＣサーバは、所定の時間内で、ｅ−ＮＢとＥＰＣの間のＳ１インターフェースに前記ＵＥと関連するシグナリング及びトラフィックデータの有無をモニターリングし、
前記Ｓ１インターフェースにおいて、前記ＵＥと関連するシグナリング及びトラフィックデータに前記ＵＥのＩＰアドレスとベアラの対応関係が含まれることをモニターリングした場合、前記データメッセージを前記ＵＥに伝送するのに用いるダウンリンクベアラ情報が「有」であると確定することを特徴とする請求項１に記載のデータ伝送方法。
【請求項５】
パックデータゲートウェイＰ−ＧＷは、モバイル・エッジ・コンピューティングＭＥＣサーバから送信されたデータメッセージを受信するステップと、
前記Ｐ−ＧＷは、前記データメッセージをサービスゲートウェイ（Ｓ−ＧＷ）に送信し、前記Ｓ−ＧＷにより、ＵＥに対するページングプロセスをトリガーするステップとを備え、
前記ＭＥＣサーバから送信されたデータメッセージは、前記ＭＥＣサーバが前記データメッセージを受信するＵＥが無線リソース制御ＲＲＣ非接続状態になると確定する場合に、前記Ｐ−ＧＷに送信したものであることを特徴とするデータ伝送方法。
【請求項６】
前記Ｐ−ＧＷは、ファイアーウォール（ＦＷ）により転送された、前記ＭＥＣサーバから送信されたデータメッセージを受信することを特徴とする請求項５に記載のデータ伝送方法。
【請求項７】
ローカルサービスサーバから送信されたデータメッセージを受信した後、前記データメッセージを受信するＵＥが無線リソース制御ＲＲＣ非接続状態になると確定する場合、前記ＵＥのページングプロセスをトリガーするように、前記ＵＥに対応するデータメッセージをパックデータゲートウェイＰ−ＧＷに送信する第１モジュールと、
所定の時間内で前記データメッセージを前記ＵＥに伝送するのに用いるダウンリンクベアラ情報を照会し、前記ダウンリンクベアラ情報が「有」であれば、前記ダウンリンクベアラ情報に基づき、前記データメッセージを送信する第２モジュールとを備えることを特徴とするデータ伝送装置。
【請求項８】
前記第１モジュールは、ローカルサービスサーバから送信されたデータメッセージを受信した後、前記データメッセージを受信するＵＥがＲＲＣ非接続状態になると確定する場合、
ローカルサービスサーバから送信されたデータメッセージを受信した後、前記データメッセージを前記ＵＥに伝送するのに用いるダウンリンクベアラ情報の有無を照会し、前記ダウンリンクベアラ情報が「無」であれば、前記ＵＥがＲＲＣ非接続状態になると確定することを特徴とする請求項７に記載のデータ伝送装置。
【請求項９】
前記第１モジュールが前記ＵＥに対応するデータメッセージをＰ−ＧＷに送信する場合、
ＭＥＣサーバは前記ＵＥに対応するデータメッセージをファイアーウォール（ＦＷ）に送信し、前記ＦＷにより前記データメッセージをＰ−ＧＷに転送することを特徴とする請求項７に記載のデータ伝送装置。
【請求項１０】
前記第２モジュールは、所定の時間内で前記データメッセージを前記ＵＥに伝送するのに用いるダウンリンクベアラ情報の有無を照会する場合、
所定の時間内で、ｅ−ＮＢとＥＰＣの間のＳ１インターフェースに前記ＵＥと関連するシグナリング及びトラフィックデータの有無をモニターリングし、
前記Ｓ１インターフェースにおいて、前記ＵＥと関連するシグナリング及びトラフィックデータに前記ＵＥのＩＰアドレスとベアラの対応関係が含まれることをモニターリングした場合、前記データメッセージを前記ＵＥに伝送するのに用いるダウンリンクベアラ情報が「有」であると確定することを特徴とする請求項７に記載のデータ伝送装置。
【請求項１１】
モバイル・エッジ・コンピューティングＭＥＣサーバから送信されたデータメッセージを受信する受信モジュールと、
前記データメッセージをサービスゲートウェイ（Ｓ−ＧＷ）に送信し、前記Ｓ−ＧＷにより、ＵＥに対するページングプロセスをトリガーする送信モジュールとを備え、
前記ＭＥＣサーバから送信されたデータメッセージは、前記ＭＥＣサーバが前記データメッセージを受信するＵＥが無線リソース制御ＲＲＣ非接続状態になると確定する場合に、装置に送信されたものであることを特徴とするデータ伝送装置。
【請求項１２】
前記受信モジュールは、ファイアーウォール（ＦＷ）により転送された、前記ＭＥＣサーバから送信されたデータメッセージを受信することを特徴とする請求項１１に記載のデータ伝送装置。
【請求項１３】
請求項７から１０のいずれか１項に記載の前記装置と、
請求項１１または１２に記載の前記装置とを備えることを特徴とするデータ伝送システム。
【発明の詳細な説明】
【技術分野】
【０００１】
本発明は、通信技術分野に関し、特に、データ伝送方法、装置及びシステムに関する。
【背景技術】
【０００２】
従来のネットワークアーキテクチャにおいて、サービスプラットフォームは、コアネットワークの後ろに配備されている。５Ｇネットワーク概念及びサービス需要の提出とともに、モバイル・エッジ・コンピューティング（Ｍｏｂｉｌｅ Ｅｄｇｅ Ｃｏｍｐｕｔｅ，ＭＥＣ）技術が現れる。ＭＥＣ技術を通して、サービスプラットフォームをモバイルエッジの近くに設置することができる。
【０００３】
サービスプラットフォームの実の設置位置に従って、サービスサーバをローカルサービスサーバとリモートサービスサーバに分ける。ここで、ローカルサービスサーバは、アクセスネットワーク側（例えば、基地局側）に設置され、リモートサービスサーバは、コアネットワーク側に設置され、リモートサービスサーバは、ローカル設置ではないサービスサーバを指す。サービスサーバがローカル設置であるため、ＭＥＣサーバがローカルサービスをシャントすることができ、ＵＥ（Ｕｓｅｒ Ｅｑｕｉｐｍｅｎｔ）は、近傍のローカルサービスにアクセスすることができ、伝送ネットワークとコアネットワークを経由する必要がないため、伝送ネットワークの帯域消費を低減し、サービス遅延を低減し、ユーザのエクスペリエンスを向上させる。
【０００４】
しかしながら、従来のこのようなローカルサービスシャント方法は、ＭＥＣサーバによる、ｅ−ＮＢとＥＰＣ（Ｅｖｏｌｖｅｄ Ｐａｃｋｅｔ Ｃｏｒｅ）の間のＳ１インターフェースシグナリング及びトラフィック・データに対するモニターリングにより、ＵＥに対応するベアラ情報を取得し、次いで、当該ベアラ情報にもとづいてトラフィックデータを伝送する。その応用の前提として、ＵＥが無線リソース制御（Ｒａｄｉｏ Ｒｅｓｏｕｒｃｅ Ｃｏｎｔｒｏｌ，ＲＲＣ）接続状態にあることである。ＲＲＣ接続状態であるＵＥではないと、ｅ−ＮＢが前記ＵＥのコンテキスト情報を有さない、ｅ−ＮＢとＥＰＣの間のＳ１インターフェースに、前記ＵＥと関連するシグナリングとトラフィック・データの伝送も行わない。ＲＲＣアイドル状態のＵＥの場合、ＭＥＣサーバは、上記モニターリングプロセスによりＵＥのＩＰアドレスと前記ＵＥのベアラ情報の対応関係を確立できないため、ローカルサービスサーバに、ＭＥＣサーバを経由して前記ＵＥに送信するデータがあれば、ＭＥＣサーバはデータを破棄するしかできず、ローカルサービスのシャントを完成できなくなってしまう。
【０００５】
従来技術において、ローカルサービスのシャントを実現させるため、ＵＥがＲＲＣ接続状態であることが要求される。ＵＥがＲＲＣ接続状態になるため、ＵＥのアプリケーション層とローカルサービスサーバのアプリケーション層でのハートビートメカニズムの確立、及び短いハートビート周期が要求される。また、ｅ−ＮＢが生存検出方式によりＵＥをリリースして、ＵＥがＲＲＣアイドル状態担ってしまうことを避けるため、ｅ−ＮＢのＵＥ生存検出スイッチをオフにするか、またはＵＥ生存検出サイクルの設定を適切に延長する必要がある。
【０００６】
上記の分析に基づいて、従来技術には以下の欠点がある。
（１）ほとんどのシナリオでは、ＵＥは、関連するアプリケーション（ＡＰＰ）をインストールして、ＵＥおよびローカルサービスサーバがハートビートメカニズムによって常にＲＲＣ接続状態にあることを保証する必要があり、これにより従来技術の普及および適用が大きく制限される。
（２）また、ハートビートメカニズムは、ＵＥの電力消費の問題をより顕著にし、ユーザのエクスペリエンスが悪くなる。
（３）ＵＥがＲＲＣアイドル状態になると、呼び出されるプロセスを完了することができず、したがって、ローカルサービスのシャント送信を実現することができない。
（４）ＵＥ生存検出方法の使用制限に応じて、ｅ−ＮＢの無線リソースの使用効率も低下する可能性がある。
【発明の概要】
【発明が解決しようとする課題】
【０００７】
本発明に係る実施例は、データ伝送方法、装置及びシステムを提供し、ＵＥがアイドル状態になる場合、ローカルサービスのシャント伝送を完了することができ、無線リソースの利用効率を向上させる。
【課題を解決するための手段】
【０００８】
本発明の実施例に係るデータ伝送方法は、
ＭＥＣサーバは、ローカルサービスサーバから送信されたデータメッセージを受信した後、前記データメッセージを受信するＵＥがＲＲＣ非接続状態であると確定すれば、前記ＵＥのページングプロセスをトリガーするように、前記ＵＥに対応するデータメッセージをパックデータゲートウェイ（Ｐａｃｋｔｅ Ｄａｔａ Ｎｅｔｗｏｒｋ−ＧａｔｅＷａｙ，Ｐ−ＧＷ）に送信するステップと、
前記ＭＥＣサーバは、所定の時間において、前記データメッセージを前記ＵＥに伝送するのに用いるダウンリンクベアラ情報を照会し、前記ダウンリンクベアラ情報が「有」であれば、前記ダウンリンクベアラ情報に基づき、前記データメッセージを送信するステップとを備える。
【０００９】
当該方法では、ＭＥＣサーバは、ローカルサービスサーバから送信されたデータメッセージを受信した後、前記データメッセージを受信するＵＥがＲＲＣ非接続状態であると判定すれば、前記ＵＥに対応するデータメッセージをＰ−ＧＷに送信する。前記ＵＥのページングプロセスをトリガーすることにより、ＵＥがページングプロセスによりＲＲＣ接続状態になり、こうして、ＭＥＣサーバは、所定の時間内で前記ダウンリンクベアラ情報を照会し、前記ダウンリンクベアラ情報に基づき、前記データメッセージを送信して、ローカルサービスのシャント伝送を完了することができるようになる。当該方法によれば、ＵＥがＲＲＣ接続状態になければならないという制限がなくなる。すなわち、ＲＲＣアイドル状態にあるとき、当該方法によってローカルサービスのシャント送信を完了することができる。したがって、ＵＥは、関連するAPPの必須インストールを必要とすることはできず、ＵＥの接続状態を確保するための、ローカルサービスサーバと共にハートビートメカニズムを確立する必要はなく、ＵＥの電力消費問題を効果的に解決し、ユーザエクスペリエンス 同時に、基地局は、ＵＥの生存検出を制限する必要もなく、無線リソースの使用効率を高めることができる。
【００１０】
好ましくは、前記ＭＥＣサーバは、ローカルサービスサーバから送信されたデータメッセージを受信した後、前記データメッセージを受信するＵＥがＲＲＣ非接続状態であると確定するのは、
前記ＭＥＣサーバは、ローカルサービスサーバから送信されたデータメッセージを受信した後、前記データメッセージを前記ＵＥに伝送するのに用いるダウンリンクベアラ情報の有無を照会し、前記ダウンリンクベアラ情報が「無」であれば、前記ＭＥＣサーバは、前記ＵＥがＲＲＣ非接続状態になると確定する。
【００１１】
好ましくは、前記ＭＥＣサーバが前記ＵＥに対応するデータメッセージをＰ−ＧＷに送信するのは、前記ＭＥＣサーバは、前記ＵＥに対応するデータメッセージをファイアーウォール（Ｆｉｒｅ Ｗａｌｌ，ＦＷ）に送信し、前記ＦＷにより前記データメッセージをＰ−ＧＷに転送する。
したがって、データ伝送のセキュリティを向上する。
【００１２】
好ましくは、前記ＭＥＣサーバが所定の時間内で前記データメッセージを前記ＵＥに伝送するのに用いるダウンリンクベアラ情報の有無を照会するのは、
前記ＭＥＣサーバは、所定の時間内で、ｅ−ＮＢとＥＰＣの間のＳ１インターフェースに前記ＵＥと関連するシグナリング及びトラフィックデータの有無をモニターリングし、
前記Ｓ１インターフェースにおいて、前記ＵＥと関連するシグナリング及びトラフィックデータに前記ＵＥのＩＰアドレスとベアラの対応関係が含まれることをモニターリングした場合、前記データメッセージを前記ＵＥに伝送するのに用いるダウンリンクベアラ情報が「有」であると確定する。
【００１３】
本発明の実施例に係る他のデータ伝送方法は、
Ｐ−ＧＷは、ＭＥＣサーバから送信されたデータメッセージを受信するステップと、
前記Ｐ−ＧＷは、前記データメッセージを、サービスゲートウェイ（Ｓｅｒｖｉｎｇ Ｇａｔｅｗａｙ，Ｓ−ＧＷ）に送信し、前記Ｓ−ＧＷにより、前記ＵＥに対するページングプロセスをトリガーするステップとを備え、
前記ＭＥＣサーバから送信されたデータメッセージは、前記ＭＥＣサーバが前記データメッセージを受信するＵＥがＲＲＣ非接続状態になると確定する場合に、前記Ｐ−ＧＷに送信されるものである。
【００１４】
好ましくは、前記Ｐ−ＧＷは、ファイアーウォール（ＦＷ）により転送された、前記ＭＥＣサーバから送信されたデータメッセージを受信する。
【００１５】
本発明の実施例に係るデータ伝送装置は、
ローカルサービスサーバから送信されたデータメッセージを受信した後、前記データメッセージを受信するＵＥが無線リソース制御ＲＲＣ非接続状態になると確定する場合、前記ＵＥのページングプロセスをトリガーするように、前記ＵＥに対応するデータメッセージをパックデータゲートウェイＰ−ＧＷに送信する第１モジュールと、
所定の時間内で前記データメッセージを前記ＵＥに伝送するのに用いるダウンリンクベアラ情報を照会し、前記ダウンリンクベアラ情報が「有」であれば、前記ダウンリンクベアラ情報に基づき、前記データメッセージを送信する第２モジュールとを備える。
好ましくは、前記第１モジュールが、ローカルサービスサーバから送信されたデータメッセージを受信した後、前記データメッセージを受信するＵＥがＲＲＣ非接続状態になると確定する場合、ローカルサービスサーバから送信されたデータメッセージを受信した後、前記データメッセージを前記ＵＥに伝送するのに用いるダウンリンクベアラ情報の有無を照会し、前記ダウンリンクベアラ情報が「無」であれば、前記ＵＥがＲＲＣ非接続状態になると確定する。
【００１６】
好ましくは、前記第１モジュールが前記ＵＥに対応するデータメッセージをＰ−ＧＷに送信する場合、
前記ＭＥＣサーバは前記ＵＥに対応するデータメッセージをファイアーウォール（ＦＷ）に送信し、前記ＦＷにより前記データメッセージをＰ−ＧＷに転送する。
【００１７】
好ましくは、前記第２モジュールは、所定の時間内で前記データメッセージを前記ＵＥに伝送するのに用いるダウンリンクベアラ情報の有無を照会する場合、
所定の時間内で、ｅ−ＮＢとＥＰＣの間のＳ１インターフェースに前記ＵＥと関連するシグナリング及びトラフィックデータの有無をモニターリングし、
前記Ｓ１インターフェースにおいて、前記ＵＥと関連するシグナリング及びトラフィックデータに前記ＵＥのＩＰアドレスとベアラの対応関係が含まれることをモニターリングした場合、前記データメッセージを前記ＵＥに伝送するのに用いるダウンリンクベアラ情報が「有」であると確定する。
【００１８】
本発明の実施例に係る他のデータ伝送装置は、
モバイル・エッジ・コンピューティングＭＥＣサーバから送信されたデータメッセージを受信する受信モジュールと、
前記データメッセージをサービスゲートウェイ（Ｓ−ＧＷ）に送信し、前記Ｓ−ＧＷにより、前記ＵＥに対するページングプロセスをトリガーする送信モジュールとを備え、
前記ＭＥＣサーバから送信されたデータメッセージは、前記ＭＥＣサーバが前記データメッセージを受信するＵＥが無線リソース制御ＲＲＣ非接続状態になると確定する場合に、前記装置に送信されたものである。
【００１９】
好ましくは、前記受信モジュールは、ファイアーウォール（ＦＷ）により転送された、前記ＭＥＣサーバから送信されたデータメッセージを受信する。
【００２０】
本発明の実施例に係るデータ伝送システムは、上述の２種のデータ伝送装置を備える。
【図面の簡単な説明】
【００２１】
【図１】本発明の実施例に係るシステムのネットワークアーキテクチャ及びトラフィックデータフローを示す図である。
【図２ａ】本発明の実施例に係るダウンリンクローカルトラフィックデータ伝送方法のフローチャートである。
【図２ｂ】本発明の実施例に係るＭＥＣサーバがトラフィックデータを処理するフローチャートである。
【図３】本発明の実施例に係るデータ伝送方法のフローチャートである。
【図４】本発明の実施例に係る他のデータ伝送方法のフローチャートである。
【図５】本発明の実施例に係るデータ伝送装置の構成図である。
【図６】本発明の実施例に係る他のデータ伝送装置の構成図である。
【発明を実施するための形態】
【００２２】
本発明に係る実施例は、データ伝送方法、装置及びシステムを提供して、ＵＥがアイドル状態になる場合、ローカルサービスのシャント伝送を完了することができるようにし、無線リソースの利用効率を向上させる。
【００２３】
本発明に係る実施例の目的、技術案及びメリットをより明確にするため、以下、本発明に係る実施例の図プレーンを参考しながら、本発明に係る実施例の技術案を明確かつ完全に説明する。説明した実施例は本発明の一部の実施例にすぎず、全部の実施例ではないのが明らかである。
【００２４】
図１は本発明の実施例に係るシステムのネットワークアーキテクチャ及びトラフィックデータフローを示す図である。
【００２５】
ここで、ＭＥＣサーバ、ｅ−ＮＢ、ローカルサービスサーバは、同一のネットワークレベルに配備されており、即ち、モバイルエッジの近くに位置し、ＭＥＣサーバはｅ−ＮＢ、ローカルサービスサーバとそれぞれ接続する。ＥＰＣ側において、モビリティ管理エンティティ（Ｍｏｂｉｌｉｔｙ Ｍａｎａｇｅｍｅｎｔ Ｅｎｔｉｔｙ，ＭＭＥ）、Ｓ−ＧＷ及びＰ−ＧＷが備えられる。ＥＰＣ後のリモートサービスサーバはより高いネットワークレベル（例えば、コア機械室）に配備される。当該ネットワークアーキテクチャにおいて、ＭＥＣサーバは、ｅ−ＮＢとＥＰＣとの間のＳ１インターフェースで直列に接続され、伝送ネットワーク（ＰＴＮネットワークなど）によって接続されるだけでなく、伝送ネットワークによりファイアーウォール（ＦＷ）及びＰ−ＧＷと接続する。
【００２６】
当該ネットワークアーキテクチャでは、ＦＷが存在しなくてもよいことに注意する必要がある。すなわち、ＭＥＣサーバが伝送ネットワークによってＰ−ＧＷに直接接続されることも可能である。
【００２７】
また、本発明の実施例に係る当該ネットワークアーキテクチャでは、ＥＰＣ側において、Ｓ−ＧＷ及びＰ−ＧＷをそれぞれに設置してもよく、Ｓ−ＧＷとＰ−ＧＷを一緒に設置してもよい。即ち、１つのエンティティデバイスに設置する。Ｓ−ＧＷとＰ−ＧＷが一緒に設置される場合、システムアーキテクチャエボリューションゲートウェイ（Ｓｙｓｔｅｍ Ａｒｃｈｉｔｅｃｔｕｒｅ Ｅｖｏｌｕｔｉｏｎ Ｇａｔｅｗａｙ，ＳＡＥ−ＧＷ）とも呼ばれる。
【００２８】
当該ネットワークアーキテクチャにおいて、リモートサービス場合のデータフローは図１のデータフロー１の通りである。即ち：ＵＥ<-->ｅ−ＮＢ<-->ＭＥＣサーバ<-->Ｓ−ＧＷ<-->Ｐ−ＧＷ<-->リモートサービスサーバ。即ち、ユーザプレーンのトラフィックデータメッセージは、ＵＥから開始され、ｅ−ＮＢ、ＭＥＣサーバ、Ｓ−ＧＷ、Ｐ−ＧＷを経由して伝送され、最終にリモートサービスサーバに送信される。ユーザプレーンのトラフィックデータメッセージは、リモートサービスサーバから開始され、Ｐ−ＧＷ、Ｓ−ＧＷ、ＭＥＣサーバ、ｅ−ＮＢを経由して伝送され、最後にＵＥに送信されるようなフローにしてもよい。
【００２９】
ローカルサービスの場合、データフローは図１のデータフロー２及びデータフロー３を参考すればよい。具体的に、アップリンクデータフローはＵＥ-->ｅ−ＮＢ-->ＭＥＣサーバ-->ローカルサービスサーバである。ダウンリンクデータフローは、２つに分けられ、１つは、ローカルサービスサーバ-->ＭＥＣサーバ-->ｅ−ＮＢ-->ＵＥのようなフローであり、他の１つは、ローカルサービスサーバ-->ＭＥＣサーバ-->ＦＷ-->Ｐ−ＧＷのようなフローである。ここで、ダウンリンクデータフローの場合、ローカルサービスサーバ-->ＭＥＣサーバ-->ＦＷ-->Ｐ−ＧＷ。ネットワークアーキテクチャにＦＷがなければ、前記ダウンリンクデータフローは、ローカルサービスサーバ-->ＭＥＣサーバ--> Ｐ−ＧＷのようにしてもよい。
【００３０】
以下、上述のローカルサービスのデータフローを詳細に説明する。
（１）アップリンクデータ伝送
ＭＥＣサーバは、ＵＥから送信されたターゲットＩＰアドレスがローカルサービスサーバのＩＰアドレスであるアップリンクトラフィックデータメッセージを受信した場合、もの際のＵＥは必ずＲＲＣ接続状態であり、ＭＥＣサーバは、ｅ−ＮＢとＥＰＣの間のＳ１インターフェースにおける前記ＵＥと関連するシグナリング及びトラフィックデータをモニターリングすることにより、前記ＵＥのＩＰアドレスとベアラ（または、前記ＵＥのトンネル情報とも称する）の対応関係を取得し、そして、前記ＵＥに対応するベアラにより、前記データメッセージを、ローカルサービスサーバに送信する。
【００３１】
（２）ダウンリンクデータ伝送
図２aに示すように、以下のステップを備える。
Ｓ２０１において、ＭＥＣサーバは、ローカルサービスサーバから送信されたターゲットＩＰアドレスがＵＥのＩＰアドレスであるダウンリンクトラフィックデータメッセージを受信する。
Ｓ２０２において、ＭＥＣは、当該データメッセージを前記ＵＥに伝送するのに用いるダウンリンクベアラ情報の有無を照会し、当該前記ダウンリンクベアラ情報が「有」であれば、ステップＳ２０３に入り、「無」であればステップＳ２０４に入る。
Ｓ２０３において、前記データメッセージを受信するＵＥがＲＲＣ接続状態であると確定し、前記ＵＥに対応するダウンリンクベアラ情報を確定した後、前記ダウンリンクベアラ情報に基づき、前記データメッセージを送信する。
【００３２】
Ｓ２０４において、前記データメッセージを受信するＵＥがＲＲＣ非接続状態であると確定し、ＭＥＣサーバは、前記データメッセージ（即ち、前記ＵＥに対応するローカルトラフィックデータメッセージ）をキャッシングし、かつ、タイマーを稼働させる。
ここで、当該ステップにおいて、ＭＥＣサーバは、前記データメッセージを前記ＵＥに伝送するのに用いるダウンリンクベアラ情報が「無」であれば、前記データメッセージを受信するＵＥがＲＲＣ非接続状態であると確定する場合、前記ＵＥがＲＲＣアイドル状態になっているか、または、前記ＵＥがシャットダウン状態となるか、または、前記ＵＥは、その時点でＭＥＣサーバのサービス範囲内にない。ＭＥＣサーバは、前記データメッセージを前記ＵＥに伝送するのに用いるダウンリンクベアラ情報が「無」であれば、前記ＵＥがＲＲＣアイドル状態になる可能性あるため、引き続きステップＳ２０５を執行し、前記ＵＥのページングプロセスをトリガーして、前記ＵＥが再びＲＲＣ接続状態になるようになる。
【００３３】
Ｓ２０５において、前記ＵＥのページングプロセスをトリガーするように、ＭＥＣサーバは、前記データメッセージをＰ−ＧＷに送信する。
ここで、好ましくは、ＭＥＣサーバは、先頭N個の前記データメッセージをＰ−ＧＷに送信することができ、Nを自ら設定することができる。即ち、ＭＥＣサーバは、ローカルサービスサーバから送信された一部のデータメッセージのみをＰ−ＧＷに送信する。
ここで、ＭＥＣサーバがタイマーを稼動させた後、前記ＵＥに対応するデータメッセージを処理するプロセスは、図２bに示すように、以下のステップを備える。Ｓ３０１、ＭＥＣサーバは、前記データメッセージを受信するＵＥがＲＲＣ非接続状態であると確定すれば、タイマーを稼働させる。
【００３４】
Ｓ３０２において、ＭＥＣサーバは、当該タイマーのタイミング時間において、前記データメッセージを前記ＵＥに伝送するのに用いるダウンリンクベアラ情報の有無を照会し、前記ダウンリンクベアラ情報が「有」であれば、ステップＳ３０３に入る。タイマーが時間切れになっても、前記ダウンリンクベアラ情報が「無」であれば、ステップＳ３０４に入る。
Ｓ３０３において、前記ＵＥがすでにＲＲＣ接続状態になったと判定し、前記ダウンリンクベアラ情報に基づき、前記ＵＥに対応するダウンリンクデータメッセージを、前記ＵＥに送信する。
【００３５】
Ｓ３０４において、キャッシングされた前記ＵＥに対応するデータメッセージを破棄する。
ここで、当該タイマーのタイミング時間内で、ＭＥＣサーバは、前記ＵＥがすでにＲＲＣ接続状態になったと判定し、前記ダウンリンクベアラ情報に基づいて前記ＵＥに送信した前記ＵＥに対応するダウンリンクデータメッセージには、ＭＥＣサーバの、その前にキャッシングされた前記ＵＥに対応するローカルトラフィックデータメッセージが含まれる。また、例えば、Ｐ−ＧＷにより転送された、リモートサーバから送信されたリモートトラフィックデータメッセージも含まれる可能性がある。従って、ＭＥＣサーバは、前記ＵＥに送信しようとするトラフィックデータメッセージを処理する必要がある。１つの処理方法として、例えば、ＭＥＣサーバは、そのキャッシングされたデータメッセージのうちの既にＰ−ＧＷに送信された先頭N個のデータメッセージを破棄しないが、Ｐ−ＧＷから送信されたソースＩＰアドレスがローカルサービスサーバのＩＰアドレスであるデータメッセージを破棄する。こうして、前記先頭N個のデータメッセージの重複送信の問題点を解消することができ、かつ、データメッセージらが、順番にＵＥに到達するように確保できる。
【００３６】
ここで、ＭＥＣサーバの照会結果が、タイマーのタイミング時間内で、前記ＵＥに対応するダウンリンクベアラ情報が「有」であれば、以下の２つの状況に分けて説明する。
〈状況１〉当該タイマーのタイミング時間内で、Ｐ−ＧＷは、受信した的前記ＵＥに対応するデータメッセージにより、前記ＵＥに対するページングプロセスをトリガーし、前記ＵＥ通信呼び出される的方式でうまくＲＲＣ接続状態になる。
〈状況２〉当該タイマーのタイミング時間内で、前記ＵＥは、呼び出す方式でＲＲＣ接続状態になる。
つまり、当該タイマーのタイミング時間内で、前記ＵＥが状況１や状況２のようにＲＲＣ接続状態になれば、ＭＥＣサーバは、Ｓ１インターフェースのシグナリング及びトラフィックデータをモニターリングすることにより、前記ＵＥのＩＰアドレスとベアラの対応関係を取得することができ、当該ベアラにより前記ＵＥに対応するダウンリンクデータメッセージを前記ＵＥに送信する。
【００３７】
以下、ＭＥＣサーバに対して設定したタイマーのタイミング時間内において、Ｐ−ＧＷは、受信したＭＥＣサーバから送信された前記ＵＥに対応するデータメッセージに基づき、前記ＵＥに対するページングプロセスをトリガーすることを、詳細に説明する。
ＭＥＣサーバは、前記データメッセージを受信するＵＥがＲＲＣ非接続状態であると確定すれば、タイマーを稼働させ、前記データメッセージをＰ−ＧＷに送信する。Ｐ−ＧＷは、前記データメッセージを受信した後、従来技術に従って、前記データメッセージＳ−ＧＷを送信して、Ｓ−ＧＷにより、前記ＵＥに対するページングプロセスをトリガーする。この際、ＵＥがＲＲＣ非接続状態であり、かつページング範囲に属すれば、ＵＥは、ページングを応答し、ページングプロセス（呼び出されるプロセス）により、ＲＲＣ接続状態になる。したがって、上述のＭＥＣサーバにより稼動されたタイマーのタイミング時間は、ネットワーク側ページング及びＵＥのページング応答に係る時間を参考して設定することができる。
【００３８】
よって、ＭＥＣサーバ側において、図３に示すように、本発明の実施例に係るデータ伝送方法は、下記のステップを備える。
Ｓ４０１において、ＭＥＣサーバは、ローカルサービスサーバから送信されたデータメッセージを受信した後、前記データメッセージを受信するＵＥがＲＲＣ非接続状態であると確定すれば、前記ＵＥのページングプロセスをトリガーするように、前記ＵＥに対応するデータメッセージをＰ−ＧＷに送信する。
Ｓ４０２において、前記ＭＥＣサーバは、所定の時間において、前記データメッセージを前記ＵＥに伝送するのに用いるダウンリンクベアラ情報を照会し、前記ダウンリンクベアラ情報が「有」であれば、前記ダウンリンクベアラ情報に基づき、前記データメッセージを送信する。
ここで、所定の時間は、前に言及したＭＥＣサーバタイマーを稼働させるの意味と同様であり、つまり、所定の時間は、タイマーのタイミング時間と対応する。
【００３９】
好ましくは、前記ＭＥＣサーバが前記ＵＥに対応するデータメッセージをＰ−ＧＷに送信するのは、具体的に、前記ＭＥＣサーバは前記ＵＥに対応するデータメッセージをファイアーウォール（ＦＷ）に送信し、前記ＦＷにより前記データメッセージをＰ−ＧＷに転送する。
好ましくは、前記ＭＥＣサーバが所定の時間内で前記データメッセージを前記ＵＥに伝送するのに用いるダウンリンクベアラ情報の有無を照会するのは、具体的に、前記ＭＥＣサーバは、所定の時間内で、ｅ−ＮＢとＥＰＣの間のＳ１インターフェースに前記ＵＥと関連するシグナリング及びトラフィックデータの有無をモニターリングする。
前記Ｓ１インターフェースにおいて、前記ＵＥと関連するシグナリング及びトラフィックデータに前記ＵＥのＩＰアドレスとベアラの対応関係が含まれることをモニターリングした場合、前記データメッセージを前記ＵＥに伝送するのに用いるダウンリンクベアラ情報が「有」であると確定する。
【００４０】
ネットワーク側において、図４に示すように、本発明の実施例に係るデータ伝送方法は、以下のステップを備える。
Ｓ５０１において、Ｐ−ＧＷは、ＭＥＣサーバから送信されたデータメッセージを受信する。前記ＭＥＣサーバから送信されたデータメッセージは、前記ＭＥＣサーバが、前記データメッセージを受信するＵＥが無線リソース制御（ＲＲＣ）非接続状態であると確定した場合、前記Ｐ−ＧＷに送信したものである。
Ｓ５０２において、前記Ｐ−ＧＷは、前記データメッセージをサービスゲートウェイ（Ｓ−ＧＷ）に送信し、前記Ｓ−ＧＷにより、前記ＵＥに対するページングプロセスをトリガーする。
好ましくは、前記Ｐ−ＧＷは、ファイアーウォール（ＦＷ）により転送された、前記ＭＥＣサーバから送信されたデータメッセージを受信する。
【００４１】
以下、上述のデータ伝送方法と対応する装置を説明する。
ＭＥＣサーバ側において、図５に示すように、本発明の実施例に係るデータ伝送装置は、
ローカルサービスサーバから送信されたデータメッセージを受信した後、前記データメッセージを受信するＵＥが無線リソース制御ＲＲＣ非接続状態になると確定する場合、前記ＵＥのページングプロセスをトリガーするように、前記ＵＥに対応するデータメッセージをパックデータゲートウェイＰ−ＧＷに送信する第１モジュール５１と、
所定の時間内で前記データメッセージを前記ＵＥに伝送するのに用いるダウンリンクベアラ情報を照会し、前記ダウンリンクベアラ情報が「有」であれば、前記ダウンリンクベアラ情報に基づき、前記データメッセージを送信する第２モジュール５２とを備える。
好ましくは、前記第１モジュール５１は、ローカルサービスサーバから送信されたデータメッセージを受信した後、前記データメッセージを受信するＵＥがＲＲＣ非接続状態になると確定する場合、ローカルサービスサーバから送信されたデータメッセージを受信した後、前記データメッセージを前記ＵＥに伝送するのに用いるダウンリンクベアラ情報の有無を照会し、前記ダウンリンクベアラ情報が「無」であれば、前記ＵＥがＲＲＣ非接続状態になると確定する。
【００４２】
好ましくは、前記第１モジュール５１が前記ＵＥに対応するデータメッセージＰ−ＧＷに送信する場合、前記ＭＥＣサーバは前記ＵＥに対応するデータメッセージをファイアーウォール（ＦＷ）に送信し、前記ＦＷにより前記データメッセージをＰ−ＧＷに転送する。
好ましくは、前記第２モジュール５２は、所定の時間内で前記データメッセージを前記ＵＥに伝送するのに用いるダウンリンクベアラ情報の有無を照会する場合、所定の時間内で、ｅ−ＮＢとＥＰＣの間のＳ１インターフェースに前記ＵＥと関連するシグナリング及びトラフィックデータの有無をモニターリングし、
前記Ｓ１インターフェースにおいて、モニターリングにより、前記ＵＥと関連するシグナリング及びトラフィックデータに前記ＵＥのＩＰアドレスとベアラの対応関係が含まれると確定し、前記データメッセージを前記ＵＥに伝送するのに用いるダウンリンクベアラ情報が「有」であると確定する。
【００４３】
ネットワーク側において、図６に示すように、本発明の実施例に係るデータ伝送装置は、モバイル・エッジ・コンピューティングＭＥＣサーバから送信されたデータメッセージを受信する受信モジュール６１と、前記データメッセージをサービスゲートウェイ（Ｓ−ＧＷ）に送信し、前記Ｓ−ＧＷにより、前記ＵＥに対するページングプロセスをトリガーする送信モジュール６２とを備える。
前記ＭＥＣサーバから送信されたデータメッセージは、前記ＭＥＣサーバが前記データメッセージを受信するＵＥが無線リソース制御ＲＲＣ非接続状態になると確定する場合に、前記装置に送信されたものである。
好ましくは、前記受信モジュール６１は、ファイアーウォール（ＦＷ）転送的由前記ＭＥＣサーバから送信されたデータメッセージを受信する。
本発明に係る実施例は、データ伝送システムをさらに提供し、当該システムは、上述したＭＥＣサーバ側及びネットワーク側におけるデータ伝送装置を備える。
【００４４】
本発明に係る実施例では、上述した全ての機能モジュールは、特定のハードウェアプロセッサや他のエンティティデバイスにより実現することができる。
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【００４５】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【００４６】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【００４７】
上述のした実施形態に記述された技術的な解決手段を改造し、或いはその中の一部の技術要素を置換することもできる。そのような、改造と置換は本発明の各実施形態の技術の範囲から逸脱するとは見なされない。
無論、当業者によって、上述のした実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
本出願は、２０１６年３月７日に中国特許局に提出し、出願番号が２０１６１０１２７９１７.７であり、発明名称が「データ伝送方法、装置及びシステム」との中国特許出願を基礎とする優先権を主張し、その開示の総てをここに取り込む。
【図１】
2019507993.tif 000003
【図２ａ】
2019507993.tif 000004
【図２ｂ】
2019507993.tif 000005
【図３】
2019507993.tif 000006
【図４】
2019507993.tif 000007
【図５】
2019507993.tif 000008
【図６】
2019507993.tif 000009
【国際調査報告】
2019507993.tif 000010
2019507993.tif 000011
2019507993.tif 000012
2019507993.tif 000013